(57)【特許請求の範囲】
【請求項１】
光源バルブと、この光源バルブからの光を前方へ反射させる反射面を有するリフレクタと、このリフレクタの前方に設けられたレンズと、を備えた車輌用標識灯において、
上記反射面が、該反射面を複数のセグメントに区分けするとともにこれら各セグメントに反射面素子を割り付けることにより構成されており、
上記各反射面素子が、上記光源バルブからの光を前方へ拡散反射させる素子本体部と、
この素子本体部における上記リフレクタの光軸とは反対側の端部から前方側へ立ち上がるようにして形成された段差部とからなり、
上記各素子本体部において上記段差部の後端位置から離れた位置に、該素子本体部の果たすべき拡散反射機能を有する曲面部が形成されており、
上記各素子本体部の曲面部が、凸状曲面部からなるとともに、これら各凸状曲面部の上記段差部側の端部の位置が、該凸状曲面部からの拡散反射光が該段差部により遮られない位置に設定されている、ことを特徴とする車輌用標識灯。
【請求項２】
上記各曲面部が、上記光軸を共通の軸線としかつ該光軸上の定点を共通の焦点とする焦点距離が異なる複数の回転放物面の各々を基準面として設定された曲面で構成されている、ことを特徴とする請求項１記載の車輌用標識灯。
【請求項３】
上記各セグメントが互いに略平行に延びる帯状セグメントからなり、
上記レンズに、上記各セグメントが延びる方向と略直交する方向に延びる複数の帯状のレンズステップが形成されている、ことを特徴とする請求項１または２記載の車輌用標識灯。
【発明の詳細な説明】
【０００１】
【発明の属する技術分野】
本願発明は、リフレクタの反射面に複数の反射面素子が形成された車輌用標識灯に関するものである。
【０００２】
【従来の技術】
近年の車輌用標識灯においては、反射面に複数の反射面素子が形成された、いわゆるステップリフレクタが多く採用されている。
【０００３】
このステップリフレクタは、一般に、図８に示すように、その反射面６ａが、該反射面６ａを複数のセグメントＳＧ′に区分けするとともにこれら各セグメントＳＧ′に反射面素子６ｓを割り付けることにより構成されているが、その際、同図に示すように、上記各反射面素子６ｓが、凸状曲面からなる素子本体部Ａ′と、この素子本体部Ａ′における上記リフレクタ６の光軸Ａｘ′側の端部から前方側へ立ち上がるようにして形成された段差部Ｂ′とからなる構成のものも知られている。
【０００４】
【発明が解決しようとする課題】
しかしながら、このようなステップリフレクタ６を備えた上記従来の車輌用標識灯においては、次のような問題がある。
【０００５】
すなわち、上記ステップリフレクタ６においては、図９に示すように、点灯時、その各反射面素子６ｓの素子本体部Ａ′に、上記光源バルブ２からの光が該反射面素子６ｓの段差部Ｂ′の陰になって入射せずに影となる部分Ｄ′が形成されるが、この影の部分Ｄ′は配光上無効部分となる。このため、上記各素子本体部Ａ′が拡散反射機能を有する凸状曲面で構成されているにもかかわらず、所期の拡散角を有する配光パターンを得ることができない、という問題がある。
【０００６】
このような問題は、上記素子本体部Ａ′が凸状曲面で構成されている場合に限らず、拡散反射機能を有する他の曲面（例えば凹状曲面等）で構成されている場合にも生じる問題である。
【０００７】
本願発明は、このような事情に鑑みてなされたものであって、ステップリフレクタを備えた標識灯において、所期の拡散角を有する配光パターンを得ることができる車輌用標識灯を提供することを目的とするものである。
【０００８】
【課題を解決するための手段】
本願発明は、各反射面素子の素子本体部の表面形状に工夫を施すことにより、上記目的達成を図るようにしたものである。
【０００９】
すなわち、本願発明は、請求項１に記載したように、
光源バルブと、この光源バルブからの光を前方へ反射させる反射面を有するリフレクタと、このリフレクタの前方に設けられたレンズと、を備えた車輌用標識灯において、
上記反射面が、該反射面を複数のセグメントに区分けするとともにこれら各セグメントに反射面素子を割り付けることにより構成されており、
上記各反射面素子が、上記光源バルブからの光を前方へ拡散反射させる素子本体部と、
この素子本体部における上記リフレクタの光軸とは反対側の端部から前方側へ立ち上がるようにして形成された段差部とからなり、
上記各素子本体部において上記段差部の後端位置から離れた位置に、該素子本体部の果たすべき拡散反射機能を有する曲面部が形成されており、
上記各素子本体部の曲面部が、凸状曲面部からなるとともに、これら各凸状曲面部の上記段差部側の端部の位置が、該凸状曲面部からの拡散反射光が該段差部により遮られない位置に設定されている、ことを特徴とするものである。
【００１０】
上記「各セグメント」の具体的形状については特に限定されるものではなく、例えば、上記反射面を格子状に区分けすることにより形成される矩形状のセグメント、上記反射面を縞状に区分けすることにより形成される帯状のセグメント、上記反射面を同心状に区分けすることにより形成されるループ状のセグメント等が採用可能である。また、上記「各セグメント」の幅についても特に限定されるものではなく、一定ピッチ、徐変ピッチ、ランダムピッチ等、任意に設定可能である。
【００１２】
上記構成は、これを上記反射面の全領域に対して適用してよいことはもちろんであるが、これを上記反射面の一部領域に対して適用するようにしてもよい。
【００１３】
【発明の作用効果】
上記構成に示すように、本願発明に係る車輌用標識灯は、そのリフレクタの反射面が、該反射面を複数のセグメントに区分けしてこれら各セグメントに反射面素子を割り付けることにより構成されるとともに、上記各反射面素子が、素子本体部と、この素子本体部における上記リフレクタの光軸とは反対側の端部から前方側へ立ち上がるようにして形成された段差部とからなっているが、上記各素子本体部において上記段差部の後端位置から離れた位置に、該素子本体部の果たすべき拡散反射機能を有する曲面部が形成されているので、次のような作用効果を得ることができる。
【００１４】
すなわち、上記各段差部が、上記各反射面素子における上記リフレクタの光軸とは反対側の端部に形成されている場合において、仮に、上記各素子本体部が従来のように凸状曲面部のみで形成されているものとすれば、点灯時、上記各反射面素子の凸状曲面部における上記段差部寄りの部分からの反射光は、該段差部に遮られてしまい所期の方向に照射されなくなる。しかしながら、本願発明においては、上記各凸状曲面部が上記段差部の後端位置から離れた位置に形成されているので、該凸状曲面部からの拡散反射光が該段差部に遮られてしまうのを防止あるいは最小限に抑えることができ、これにより所期の拡散角を有する配光パターンを得ることが可能となる。
【００１５】
このように、本願発明によれば、ステップリフレクタを備えた標識灯において、所期の拡散角を有する配光パターンを得ることができる。
【００２２】
その際、本願発明においては、上記各凸状曲面部の上記段差部側の端部の位置が、該凸状曲面部からの拡散反射光が該段差部により遮られない位置に設定されているので、所期の拡散角を有する配光パターンを確実に得ることができる。
【００２３】
上記構成において、請求項２に記載したように、上記各曲面部を、上記光軸を共通の軸線としかつ該光軸上の定点を共通の焦点とする焦点距離が異なる複数の回転放物面の各々を基準面として設定された曲面で構成するようにすれば、上記光源バルブからの光を上記光軸方向を基準にして精度よく拡散反射させることができる。
【００２４】
なお、その際、上記各回転放物面の焦点距離を、上記光軸から遠い位置にある反射面素子の基準面を構成する回転放物面ほど小さい値に設定するようにすれば、上記各反射面素子における上記光軸とは反対側に端部に前方側へ立ち上がる段差部を形成することができる。
【００２５】
本願発明において、上記「各セグメント」の具体的形状が特に限定されるものでないことはすでに述べたとおりであるが、請求項３に記載したように、上記各セグメントを、互いに略平行に延びる帯状セグメントからなる構成とし、かつ、上記レンズを、上記各セグメントが延びる方向と略直交する方向に延びる複数の帯状のレンズステップが形成された構成とすれば、上記各帯状セグメントに割り付けられた反射面素子からの反射光を上記各レンズステップにより偏向あるいは拡散させることができるので、灯具をキラキラした感じで光らせることができる。
【００２６】
【発明の実施の形態】
以下、図面を用いて、本願発明の実施の形態について説明する。
【００２７】
図１は、本願発明の一実施形態に係る車輌用標識灯を示す正面図であり、図２および３は、そのII-II 線およびIII-III 線断面図である。
【００２８】
これらの図に示すように、本実施形態に係る標識灯（灯具）１０は、自動車の車体右側後端部に設けられるテールランプであって、上下方向に延びるフィラメント１２ａを有する光源バルブ１２と、この光源バルブ１２をソケット１４を介して支持するとともに、該光源バルブ１２からの光を前方（灯具としての前方であって車体としては後方、以下同様）へ向けて左右方向に拡散反射させる反射面１６ａを有するリフレクタ１６と、このリフレクタ１６の前方に配置されるとともに該リフレクタ１６に固定されたレンズ１８とを備えてなり、左右方向に長い矩形の外形形状を有している。
【００２９】
上記光源バルブ１２は、その光軸Ａｘｂを上記リフレクタ１６の光軸Ａｘに対して車幅方向外方側にやや傾斜させるようにして、かつ、そのフィラメント１２ａを上記光軸Ａｘ上に位置させるようにして、上記リフレクタ１６に挿着されている。
【００３０】
上記レンズ１８は、その右端部側が後退するよう左右方向に傾斜した表面形状を有しており、その内面には複数のレンズステップ１８ｓが形成されている。これら各レンズステップ１８ｓは、上下等ピッチで左右方向に延びる凸状のシリンドリカルレンズステップからなっている。そして、これらレンズステップ１８ｓにより、上記反射面１６ａからの反射光を上下方向に拡散させながら透過させるようになっている。
【００３１】
図４は、上記標識灯１０をそのレンズ１８を外して示す正面図である。
【００３２】
図示のように、上記リフレクタ１６は、その反射面１６ａの全域にわたって複数の反射面素子１６ｓが形成されてなっている。これら各反射面素子１６ｓは、縦縞状に区分けされた複数の帯状セグメントＳＧの各々に割り付けられている。
【００３３】
上記各帯状セグメントＳＧの左右間隔は、灯具正面視において等ピッチに設定されており、これら各帯状セグメントＳＧの各々に割り付けられた上記各反射面素子１６ｓは、素子本体部Ａと段差部Ｂとで構成されている。
【００３４】
上記各段差部Ｂは、上記反射面１６ａにおいて上記光軸Ａｘの右側に位置する領域（以下「右側反射領域」という。）においては、上記各素子本体部Ａにおける上記光軸Ａｘ側の端部から前方側へ立ち上がるようにして形成されているが、上記反射面１６ａにおいて上記光軸Ａｘの左側に位置する領域（以下「左側反射領域」という。）においては、上記各素子本体部Ａにおける上記光軸Ａｘとは反対側側の端部から前方側へ立ち上がるようにして形成されている。
【００３５】
また、上記各素子本体部Ａは、いわゆる多重放物面を基準面とする左右拡散反射面素子として形成されている。
【００３６】
すなわち、図４のV-V 線断面詳細図である図５に示すように、上記各素子本体部Ａ１６ｓは、上記光軸Ａｘを共通の軸線としかつ該光軸Ａｘと上記光源バルブ１２の光軸Ａｘｂとの交点（すなわち上記フィラメント１２ａの位置）を共通の焦点とする焦点距離が異なる複数の回転放物面の各々を基準面として設定された曲面を備えている。この曲面は、上下方向に延びるシリンドリカル曲面で構成されている（これについては後に詳述する）。
【００３７】
上記右側反射領域においては、上記各回転放物面Ｐ１、Ｐ２、・・・の焦点距離ｆ１、ｆ２、・・・は、上記光軸Ａｘから離れるに従って徐々に大きな値になるように設定されている。そして、これにより、上記リフレクタ１６の右側部分の薄型化を図りつつ、上記各反射面素子１６ｓの素子本体部Ａにより上記光源バルブ１２からの光を上記光軸Ａｘを基準にして左右方向に拡散反射させるようにしている。
【００３８】
一方、上記左側反射領域においては、上記各回転放物面Ｐ１′、Ｐ２′、・・・の焦点距離ｆ１′、ｆ２′、・・・は、上記光軸Ａｘから離れるに従って徐々に小さな値になるように設定されている（なお、図５には、上記回転放物面Ｐ２′よりも上記光軸Ａｘ側に位置する回転放物面Ｐ１′およびその焦点距離ｆ１′は図示されていない。）。そして、これにより、上記リフレクタ１６の左側部分の奥行き寸法を確保しつつ、上記各反射面素子１６ｓの素子本体部Ａにより上記光源バルブ１２からの光を上記光軸Ａｘを基準にして左右方向に拡散反射させるようにしている。
【００３９】
上記各反射面素子１６ｓの各段差部Ｂの上記光軸Ａｘ方向の高さは、上記右側反射領域においては、上記光軸Ａｘから遠い位置にある段差部ほど低くなるように設定されており、一方、上記左側反射領域においては、上記光軸Ａｘから遠い位置にある段差部ほど高くなるように設定されている。なお、これら各段差部Ｂの高さの調整は、上記各回転放物面Ｐ１、Ｐ２、・・・の焦点距離ｆ１、ｆ２、・・・および上記各回転放物面Ｐ１′、Ｐ２′、・・・の焦点距離ｆ１′、ｆ２′、・・・の値を調整することによって行われる。
【００４０】
上述したように、上記各素子本体部Ａは、上下方向に延びるシリンドリカル曲面を備えているが、具体的には、上下方向に延びるシリンドリカル曲面からなる凸状曲面部Ａ１と、上記回転放物面そのままの基準面部Ａ２とで構成されている。上記各凸状曲面部Ａ１は、上記光軸Ａｘに対して左右いずれの反射領域においても、上記各素子本体部Ａにおいて上記段差部Ｂの後端位置から離れた位置に形成されている。すなわち、上記右側反射領域の上記各素子本体部Ａにおいては、上記段差部Ｂが上記光軸Ａｘ側の端部に形成されていることから、上記基準面部Ａ２は上記凸状曲面部Ａ１に対して上記光軸Ａｘ側に形成されており、一方、上記左側反射領域の上記各素子本体部Ａにおいては、上記段差部Ｂが上記光軸Ａｘとは反対側の端部に形成されていることから、上記基準面部Ａ２は上記凸状曲面部Ａ１に対して上記光軸Ａｘ側とは反対側に形成されている。
【００４１】
上記各素子本体部Ａにおける上記凸状曲面部Ａ１と上記基準面部Ａ２との境界位置（すなわち該凸状曲面部Ａ１の該段差部Ｂ側の端部）Ｊは、上記右側反射領域においては、上記段差部Ｂの前端位置と上記光源バルブ１２のフィラメント１２ａ（光源位置）とを通る直線Ｌ１上に設定されており、一方、上記左側反射領域においては、上記凸状曲面部Ａ１からの拡散反射光の左方向最大拡散角度の方向に延びるとともに上記段差部Ｂの前端位置を通る直線Ｌ２上に設定されている。
【００４２】
上記境界位置Ｊを、これらの位置に設定するようにしたのは、次のよな理由によるものである。
【００４３】
すなわち、上記右側反射領域においては、上記各段差部Ｂが、上記各反射面素子１６ｓにおける上記光軸Ａｘ側の端部に形成されているので、点灯時、上記各素子本体部Ａにおける上記段差部Ｂ寄りの部分は、上記光源バルブ１２からの光が該段差部Ｂの陰になって入射せずに影となり、この影の部分Ｄ１は配光上無効部分となる。そこで、上記境界位置Ｊを上記直線Ｌ１上に設定することにより、上記凸状曲面部Ａ１が上記影の部分Ｄ１に掛からないようにして所期の拡散角を有する配光パターンを得るようにするとともに、上記各素子本体部Ａにおける上記影の部分Ｄ１以外の部分を最大限に利用するようにしたものである。
【００４４】
また、上記左側反射領域においては、上記各段差部Ｂが、上記各反射面素子１６ｓにおける上記光軸Ａｘ側とは反対側の端部に形成されているので、仮に上記各素子本体部Ａが従来のように凸状曲面部のみで形成されているとすれば、点灯時、該凸状曲面部における上記段差部Ｂ寄りの部分Ｄ２からの反射光は、該段差部Ｂに遮られてしまい所期の方向に照射されなくなる。そこで、上記境界位置Ｊを上記直線Ｌ２上に設定することにより、上記各凸状曲面部Ａ１からの拡散反射光が上記段差部Ｂに遮られてしまうのを防止して所期の拡散角を有する配光パターンを得るようにするとともに、上記各素子本体部Ａにおける反射光非有効利用部分Ｄ２以外の部分を最大限に利用するようにしたものである。
【００４５】
以上詳述したように、本実施形態に係る標識灯１０は、そのリフレクタ１６の反射面１６ａが、縦縞状に区分けされた複数の帯状セグメントＳＧの各々に反射面素子１６ｓを割り付けることにより構成されているとともに、上記各反射面素子１６ｓが、素子本体部Ａと、この素子本体部Ａの端部から前方側へ立ち上がるようにして形成された段差部Ｂとからなっているが、上記各素子本体部Ａにおいて上記段差部Ｂの後端位置から所定量離れた位置に、該素子本体部Ａの果たすべき拡散反射機能を有する凸状曲面部Ａ１が形成されているので、次のような作用効果を得ることができる。
【００４６】
すなわち、上記右側反射領域においては、上記凸状曲面部Ａ１の上記段差部Ｂ側の端部の位置（境界位置）Ｊが、上記段差部Ｂの前端位置と上記光源バルブ１２のフィラメント１２ａ（光源位置）とを通る直線Ｌ１上に設定されているので、上記凸状曲面部Ａ１を上記影の部分Ｄ１に掛からないようにして所期の拡散角を有する配光パターンを得ることができ、しかも、上記各素子本体部Ａにおける上記影の部分Ｄ以外の部分を最大限に利用することができる。一方、上記左側反射領域においては、上記凸状曲面部Ａ１の上記段差部Ｂ側の端部の位置（境界位置）Ｊが、該凸状曲面部Ａ１からの拡散反射光の左方向最大拡散角度の方向に延びるとともに上記段差部Ｂの前端位置を通る直線Ｌ２上に設定されているので、上記各凸状曲面部Ａ１からの拡散反射光が上記段差部Ｂに遮られてしまうのを防止して所期の拡散角を有する配光パターンを得ることができ、しかも、上記各素子本体部Ａにおける反射光非有効利用部分Ｄ２以外の部分を最大限に利用することができる。
【００４７】
また、実施形態においては、上記各凸状曲面部Ａ１が上記各段差部Ｂの後端位置から離れた位置に形成されているので、上記各素子本体部Ａと上記各段差部Ｂとの間のコーナ部の挟角が小さくなるのを防止することができる。このため、リフレクタ成形用の金型の製作を容易化することができ、しかも、上記リフレクタ１６の反射面にアルミ蒸着等の表面処理を施す際、上記各コーナ部に対する被膜形成が容易となり、かつ該コーナ部に塗料溜まりが生じにくくなるので、非点灯時の見映えも良くなる。
【００４８】
このように、本実施形態によれば、ステップリフレクタを備えた標識灯において、所期の拡散角を有する配光パターンを得ることができ、かつ、リフレクタ成形用の金型の製作の容易化および非点灯時の見映え向上を図ることができる。
【００４９】
また、本実施形態においては、上記各凸状曲面部Ａ１が、上記光軸Ａｘを共通の軸線としかつ該光軸上の定点を共通の焦点とする焦点距離が異なる複数の回転放物面の各々を基準面として設定された曲面で構成されているので、上記光源バルブ１２からの光を上記光軸Ａｘ方向を基準にして精度よく拡散反射させることができる。
【００５０】
さらに、本実施形態においては、上記各反射面素子１６ｓが縦縞状に区分けされた複数の帯状セグメントＳＧに割り付けられており、上記レンズ１８に左右方向に延びる複数の帯状のレンズステップ１８ｓが形成されているので、上記各反射面素子からの左右拡散反射光が上記各レンズステップ１８ｓを透過して上下方向に拡散することとなり、これにより灯具をキラキラした感じで光らせることができる。
【００５１】
なお、上記実施形態においては、上記各素子本体部Ａにおける上記凸状曲面部Ａ１以外の部分が、回転放物面そのままの基準面部Ａ２で構成されているが、これ以外の曲面で該部分を構成するようにしてもよい。
【００５２】
また、上記実施形態においては、上記反射面１６ａの右側反射領域における上記凸状曲面部Ａ１の上記段差部Ｂ側の端部の位置（境界位置）Ｊが、上記段差部Ｂの前端位置と上記光源バルブ１２のフィラメント１２ａ（光源位置）とを通る直線Ｌ１上に設定されたものについて説明したが、上記反射面１６ａの全域にわたってこのように設定する代わりに、図６に示すように、選択的に設定するようにしてもよい。
【００５３】
ずなわち、図６に示す角度αは、上記段差部Ｂが上記光軸Ａｘとなす角度（上記リフレクタ１６の金型の抜き角から上記光軸Ａｘと上記光軸Ａｘｂとのなす角度θを引いた値）であり、角度βは、上記凸状曲面部Ａ１の上記段差部Ｂ側の端部からの反射光が上記光軸Ａｘとなすべき拡散反射角設定値であり、角度γは、上記直線Ｌ１が上記光軸Ａｘとなす角度である。そして、上記段差部Ｂの前端位置から上記各角度値α、β、γで引いた直線が上記反射面１６ａの基準面たる回転放物面Ｐと交差する３つの点のうち、これら各点と上記段差部Ｂの前端位置を通る上記光軸Ａｘに平行な直線（Ａｘ）との距離ａ１、ａ２、ａ３が最も大きな値となる点を、上記境界位置Ｊとして設定するようにしてもよい（図６の場合には、ａ１＜ａ２＜ａ３であるので、上記直線（Ａｘ）から距離ａ３の点が上記境界位置Ｊとして設定される。）。
【００５４】
このように設定することにより、上記段差部Ｂの金型抜き勾配が非常に大きい場合、あるいは、上記凸状曲面部Ａ１の拡散反射角設定値が大きい場合であっても、上記凸状曲面部Ａ１からの反射光により、所期の拡散角を有する配光パターンを得ることができる。
【００５５】
上記実施形態においては、上記素子本体部Ａにおいて上記段差部Ｂの後端位置から所定量離れた位置に、上記凸状曲面部Ａ１が形成されているものについて説明したが、図７に示すように、上記凸状曲面部Ａ１に代えて凹状曲面部Ａ１′が形成された構成となっている場合においても、所期の拡散角を有する配光パターンを得ることができる。この場合においても、同図に示すように、距離ａ１、ａ３のうち、大きな値となる点を上記境界位置Ｊとして設定するようにすれば（図７の場合には、ａ１＜ａ３であるので、上記直線（Ａｘ）から距離ａ３の点が上記境界位置Ｊとして設定される。）、上記段差部Ｂの金型抜き勾配が非常に大きい場合であっても、上記凸状曲面部Ａ１からの反射光により、所期の拡散角を有する配光パターンを得ることができる。なお、上記凸状曲面部Ａ１に代えて上記凹状曲面部Ａ１′とした場合には、該凹状曲面部Ａ１′における上記段差部Ｂ側の端部からの反射光が上記Ａｘとなすべき拡散反射角設定値は、上記段差部Ｂとは反対側の向きに設定されるので、上記実施形態において考慮した角度βは考慮する必要はない。
【図面の簡単な説明】
【図１】本願発明の一実施形態に係る車輌用標識灯を示す正面図
【図２】図１のII-II 線断面図
【図３】図１のIII-III 線断面図
【図４】上記実施形態の標識灯をそのレンズを外して示す正面図
【図５】図４のV-V 線断面詳細図
【図６】上記実施形態の変形例を示す、図５の要部詳細図
【図７】上記実施形態の他の変形例を示す、図５の要部詳細図
【図８】従来例を示す、リフレクタの斜視図
【図９】上記従来例の要部平断面図
【符号の説明】
１０    標識灯（灯具）
１２    光源バルブ
１２ａ  フィラメント
１６    リフレクタ
１６ａ  反射面
１６ｓ  反射面素子
１８    レンズ
１８ｓ  レンズステップ
Ａ      素子本体部
Ａ１    凸状曲面部
Ａ１′  凹状曲面部
Ａ２    基準面部
Ａｘ    リフレクタの光軸
Ａｘｂ  光源バルブの光軸
Ｂ      段差部
Ｄ１    影の部分
Ｄ２    反射光非有効利用部分
Ｊ      接続位置
Ｌ１    段差部の前端位置と光源バルブの光源位置とを通る直線
Ｌ２    凸状曲面部からの拡散反射光の左方向最大拡散角度の方向に延びるとともに段差部の前端位置を通る直線
ＳＧ    帯状セグメント
【図１】
0003734916.tif 000002
【図２】
0003734916.tif 000003
【図３】
0003734916.tif 000004
【図４】
0003734916.tif 000005
【図５】
0003734916.tif 000006
【図６】
0003734916.tif 000007
【図７】
0003734916.tif 000008
【図８】
0003734916.tif 000009
【図９】
0003734916.tif 000010